(57)【特許請求の範囲】
【請求項１】
鍋を加熱する加熱手段と、前記加熱手段の燃焼量を制御する加熱制御手段と、前記加熱制御手段を制御する制御手段と、前記制御手段に点火消火等を入力する操作手段と、鍋の温度を検知し、その検知信号を前記制御手段に入力する温度検知手段と、前記制御手段の電源電圧を検知しその検知信号を前記制御手段に入力する電圧検知手段とを有し、前記加熱制御手段の駆動時に一定時間経過後、前記加熱制御手段の駆動信号をパルス信号とするとともに前記電圧検知手段から電圧値を読みとり、その電圧値に応じて前記加熱制御手段の駆動信号のデューティ比を前記加熱制御手段の駆動可能なデューティ比とする構成とした調理器。
【請求項２】
鍋を加熱する加熱手段と、前記加熱手段の燃焼量を制御する加熱制御手段と、前記加熱制御手段を制御する制御手段と、前記制御手段に点火消火等を入力する操作手段と、鍋の温度を検知し、その検知信号を前記制御手段に入力する温度検知手段と、前記制御手段の電源電圧を検知しその検知信号を前記制御手段に入力する電圧検知手段とを有し、前記加熱制御手段の駆動時に一定時間経過後、前記電圧検知手段から電圧値を読みとり、その電圧値に応じて前記加熱制御手段の駆動信号の電圧を前記加熱制御手段の駆動可能な電圧とする構成とした調理器。
【請求項３】
鍋を加熱する加熱手段と、前記加熱手段の燃焼量を制御する加熱制御手段と、前記加熱制御手段を制御する制御手段と、前記制御手段に点火消火等を入力する操作手段と、鍋の温度を検知し、その検知信号を前記制御手段に入力する温度検知手段と、前記制御手段の電源電圧を検知しその検知信号を前記制御手段に入力する電圧検知手段とを有し、前記加熱制御手段の駆動時に一定時間経過後、前記加熱制御手段の駆動信号をパルス信号とするとともに前記電圧検知手段から電圧値を読みとり、その電圧値に応じて前記加熱制御手段の駆動信号のデューティ比を前記加熱制御手段の駆動速度を一定に保つデューティ比に切り換える構成とした調理器。
【請求項４】
鍋を加熱する加熱手段と、前記加熱手段の燃焼量を制御する加熱制御手段と、前記加熱制御手段を制御する制御手段と、前記制御手段に点火消火等を入力する操作手段と、鍋の温度を検知し、その検知信号を前記制御手段に入力する温度検知手段と、前記制御手段の電源電圧を検知しその検知信号を前記制御手段に入力する電圧検知手段とを有し、前記加熱制御手段の駆動時に一定時間経過後、前記電圧検知手段から電圧値を読みとり、その電圧値に応じて前記加熱制御手段の駆動信号の電圧を前記加熱制御手段の駆動速度を一定に保つ電圧に切り換える構成とした調理器。
【請求項５】
鍋を加熱する加熱手段と、前記加熱手段の燃焼量を制御する加熱制御手段と、前記加熱制御手段を制御する制御手段と、前記制御手段に点火消火等を入力する操作手段と、鍋の温度を検知し、その検知信号を前記制御手段に入力する温度検知手段と、前記制御手段の電源電圧を検知しその検知信号を前記制御手段に入力する電圧検知手段と、前記制御手段の電源の内部抵抗を測定するために電流を流す負荷抵抗を駆動する負荷抵抗駆動手段とを有し、前記加熱制御手段の駆動前に前記負荷抵抗駆動手段を駆動させ、前記電圧検知手段から電圧値を読みとり、その電圧値に応じて前記加熱制御手段の駆動信号のデューティ比を前記加熱制御手段の駆動可能なデューティ比とする構成とした調理器。
【請求項６】
鍋を加熱する加熱手段と、前記加熱手段の燃焼量を制御する加熱制御手段と、前記加熱制御手段を制御する制御手段と、前記制御手段に点火消火等を入力する操作手段と、鍋の温度を検知し、その検知信号を前記制御手段に入力する温度検知手段と、前記制御手段の電源電圧を検知しその検知信号を前記制御手段に入力する電圧検知手段と、前記制御手段の電源の内部抵抗を測定するために電流を流す負荷抵抗を駆動する負荷抵抗駆動手段とを有し、前記加熱制御手段の駆動前に前記負荷抵抗駆動手段を駆動させ、前記電圧検知手段から電圧値を読みとり、その電圧値に応じて前記加熱制御手段の駆動信号の電圧を前記加熱制御手段の駆動可能な電圧とする構成とした調理器。
【請求項７】
鍋を加熱する加熱手段と、前記加熱手段の燃焼量を制御する加熱制御手段と、前記加熱制御手段を制御する制御手段と、前記制御手段に点火消火等を入力する操作手段と、鍋の温度を検知し、その検知信号を前記制御手段に入力する温度検知手段と、前記制御手段の電源電圧を検知しその検知信号を前記制御手段に入力する電圧検知手段と、前記制御手段の電源の内部抵抗を測定するために電流を流す負荷抵抗を駆動する負荷抵抗駆動手段とを有し、前記加熱制御手段の駆動前に前記負荷抵抗駆動手段を駆動させ、前記電圧検知手段から電圧値を読みとり、その電圧値に応じて前記加熱制御手段の駆動信号のデューティ比を前記加熱制御手段の駆動速度を一定に保つデューティ比に切り換える構成とした調理器。
【請求項８】
鍋を加熱する加熱手段と、前記加熱手段の燃焼量を制御する加熱制御手段と、前記加熱制御手段を制御する制御手段と、前記制御手段に点火消火等を入力する操作手段と、鍋の温度を検知し、その検知信号を前記制御手段に入力する温度検知手段と、前記制御手段の電源電圧を検知しその検知信号を前記制御手段に入力する電圧検知手段と、前記制御手段の電源の内部抵抗を測定するために電流を流す負荷抵抗を駆動する負荷抵抗駆動手段とを有し、前記加熱制御手段の駆動前に前記負荷抵抗駆動手段を駆動させ、前記電圧検知手段から電圧値を読みとり、その電圧値に応じて前記加熱制御手段の駆動信号の電圧を前記加熱制御手段の駆動速度を一定に保つ電圧に切り換える構成とした調理器。
【請求項９】
鍋を加熱する加熱手段と、前記加熱手段の燃焼量を制御する加熱制御手段と、前記加熱制御手段を制御する制御手段と、前記制御手段に点火消火等を入力する操作手段と、鍋の温度を検知しその検知信号を前記制御手段に入力する温度検知手段と、前記制御手段の電源電圧を検知しその検知信号を前記制御手段に入力する電圧検知手段と、前記制御手段の電源の内部抵抗を測定するために電流を流す負荷抵抗を駆動する負荷抵抗駆動手段とを有し、前記加熱制御手段の駆動前に前記負荷抵抗駆動手段を駆動させ、前記電圧検知手段から電圧値を読みとり、その電圧値が所定値以下の時は前記加熱制御手段の駆動信号を出力しない構成とした調理器。
【発明の詳細な説明】
【０００１】
【発明の属する技術分野】
本発明は、電圧に応じて加熱制御手段の駆動信号を変化させる様にした調理器の制御手段に関するものである。
【０００２】
【従来の技術】
図１１は従来の調理器における加熱制御手段の駆動信号を示す概略図である。図４において加熱制御手段の駆動信号は、駆動開始から終了まで一定のＤＣ電圧で出力され、加熱制御手段を駆動する構成となっている。
【０００３】
【発明が解決しようとする課題】
しかしながら、上記のような従来の構成では、例えば、加熱制御手段としてモータを用いた場合に駆動電圧として駆動開始直後に必要な電圧は駆動途中に必要な電圧より高い電圧であり、駆動開始から終了まで一定の電圧のため、駆動途中には必要のない電力を消費してしまい、電池を電源としたときは、電池寿命を短くするという課題を有していた。
【０００４】
また、電池を電源として駆動する場合、電圧の高いときと低いときでは加熱制御手段の駆動速度に差がでるという課題や、電池の内部抵抗が増加してくると加熱制御手段駆動直後に電圧降下を起こし、制御手段であるマイクロコンピュータのリセット電圧以下になり、マイクロコンピュータがリセットするという課題を有していた。
【０００５】
【課題を解決するための手段】
本発明は、上記課題を解決するために、加熱制御手段駆動開始後に電源電圧を測定し、その電圧に応じて加熱制御手段の駆動信号を変化させる構成としたものである。上記発明によれば加熱制御手段の駆動途中の電力消費を低減し、電池寿命を延ばすことができる。
【０００６】
また本発明によれば加熱制御手段の駆動前に負荷抵抗を駆動させ電圧を測定し、その電圧に応じて加熱制御手段の駆動速度を一定に保つように駆動信号決定する構成としたものである。上記発明によれば加熱制御手段の駆動時の駆動速度を一定に保つことができる。
【０００７】
また本発明によれば加熱制御手段の駆動前に負荷抵抗を駆動させ電圧を測定し、その電圧が所定値以下の場合には加熱制御手段の駆動信号を出力しない構成としたものである。上記発明によれば電池電圧の内部抵抗増加時に加熱制御手段を駆動した際の電圧降下による制御手段のリセットを防ぐことができる。
【０００８】
【発明の実施の形態】
本発明の請求項１に記載の発明は、鍋を加熱する加熱手段と、前記加熱手段の燃焼量を制御する加熱制御手段と、前記加熱制御手段を制御する制御手段と、前記制御手段に点火消火等を入力する操作手段と、鍋の温度を検知し、その検知信号を前記制御手段に入力する温度検知手段と、前記制御手段の電源電圧を検知し、その検知信号を前記制御手段に入力する電圧検知手段を有し、前記加熱制御手段の駆動時に一定時間経過後、前記加熱制御手段の駆動信号をパルス信号とするとともに前記電圧検知手段から電圧値を読みとり、その電圧値に応じて前記加熱制御手段の駆動信号のデューティ比を前記加熱制御手段の駆動可能なデューティ比とする構成としたものである。これにより加熱制御手段の駆動途中の電力消費を低減し、電池寿命を延ばすことができる。
【０００９】
請求項２に記載の発明は、鍋を加熱する加熱手段と、前記加熱手段の燃焼量を制御する加熱制御手段と、前記加熱制御手段を制御する制御手段と、前記制御手段に点火消火等を入力する操作手段と、鍋の温度を検知し、その検知信号を前記制御手段に入力する温度検知手段と、前記制御手段の電源電圧を検知し、その検知信号を前記制御手段に入力する電圧検知手段を有し、前記加熱制御手段の駆動時に一定時間経過後、前記電圧検知手段から電圧値を読みとり、その電圧値に応じて前記加熱制御手段の駆動信号の電圧を前記加熱制御手段の駆動可能な電圧とする構成としたものである。これにより加熱制御手段の駆動途中の電力消費を低減し、電池寿命を延ばすことができる。
【００１０】
請求項３に記載の発明は、鍋を加熱する加熱手段と、前記加熱手段の燃焼量を制御する加熱制御手段と、前記加熱制御手段を制御する制御手段と、前記制御手段に点火消火等を入力する操作手段と、鍋の温度を検知し、その検知信号を前記制御手段に入力する温度検知手段と、前記制御手段の電源電圧を検知し、その検知信号を前記制御手段に入力する電圧検知手段を有し、前記加熱制御手段の駆動時に一定時間経過後、前記加熱制御手段の駆動信号をパルス信号とするとともに前記電圧検知手段から電圧値を読みとり、その電圧値に応じて前記加熱制御手段の駆動信号のデューティ比を前記加熱制御手段の駆動速度を一定に保つデューティ比に切り換える構成としたものである。これにより加熱制御手段の駆動速度を一定に保つことができる。
【００１１】
請求項４に記載の発明は、鍋を加熱する加熱手段と、前記加熱手段の燃焼量を制御する加熱制御手段と、前記加熱制御手段を制御する制御手段と、前記制御手段に点火消火等を入力する操作手段と、鍋の温度を検知し、その検知信号を前記制御手段に入力する温度検知手段と、前記制御手段の電源電圧を検知し、その検知信号を前記制御手段に入力する電圧検知手段を有し、前記加熱制御手段の駆動時に一定時間経過後、前記電圧検知手段から電圧値を読みとり、その電圧値に応じて前記加熱制御手段の駆動信号の電圧を前記加熱制御手段の駆動速度を一定に保つ電圧に切り換える構成としたものである。これにより加熱制御手段の駆動速度を一定に保つことができる。
【００１２】
請求項５に記載の発明は、鍋を加熱する加熱手段と、前記加熱手段の燃焼量を制御する加熱制御手段と、前記加熱制御手段を制御する制御手段と、前記制御手段に点火消火等を入力する操作手段と、鍋の温度を検知し、その検知信号を前記制御手段に入力する温度検知手段と、前記制御手段の電源電圧を検知し、その検知信号を前記制御手段に入力する電圧検知手段と、前記制御手段の電源の内部抵抗を測定するために電流を流す負荷抵抗を駆動する負荷抵抗駆動手段を有し、前記加熱制御手段の駆動前に前記負荷抵抗駆動手段を駆動させ、前記電圧検知手段から電圧値を読みとり、その電圧値に応じて前記加熱制御手段の駆動信号のデューティ比を前記加熱制御手段の駆動可能なデューティ比とする構成としたものである。これにより加熱制御手段の駆動時の電力消費を低減し、電池寿命を延ばすことができる。
【００１３】
請求項６に記載の発明は、鍋を加熱する加熱手段と、前記加熱手段の燃焼量を制御する加熱制御手段と、前記加熱制御手段を制御する制御手段と、前記制御手段に点火消火等を入力する操作手段と、鍋の温度を検知し、その検知信号を前記制御手段に入力する温度検知手段と、前記制御手段の電源電圧を検知し、その検知信号を前記制御手段に入力する電圧検知手段と、前記制御手段の電源の内部抵抗を測定するために電流を流す負荷抵抗を駆動する負荷抵抗駆動手段を有し、前記加熱制御手段の駆動前に前記負荷抵抗駆動手段を駆動させ、前記電圧検知手段から電圧値を読みとり、その電圧値に応じて前記加熱制御手段の駆動信号の電圧を前記加熱制御手段の駆動可能な電圧とする構成としたものである。これにより加熱制御手段の駆動時の電力消費を低減し、電池寿命を延ばすことができる。
【００１４】
請求項７に記載の発明は、鍋を加熱する加熱手段と、前記加熱手段の燃焼量を制御する加熱制御手段と、前記加熱制御手段を制御する制御手段と、前記制御手段に点火消火等を入力する操作手段と、鍋の温度を検知し、その検知信号を前記制御手段に入力する温度検知手段と、前記制御手段の電源電圧を検知し、その検知信号を前記制御手段に入力する電圧検知手段と、前記制御手段の電源の内部抵抗を測定するために電流を流す負荷抵抗を駆動する負荷抵抗駆動手段を有し、前記加熱制御手段の駆動前に前記負荷抵抗駆動手段を駆動させ、前記電圧検知手段から電圧値を読みとり、その電圧値に応じて前記加熱制御手段の駆動信号のデューティ比を前記加熱制御手段の駆動速度を一定に保つデューティ比に切り換える構成としたものである。これにより加熱制御手段の駆動速度を一定に保つことができる。
【００１５】
請求項８に記載の発明は、鍋を加熱する加熱手段と、前記加熱手段の燃焼量を制御する加熱制御手段と、前記加熱制御手段を制御する制御手段と、前記制御手段に点火消火等を入力する操作手段と、鍋の温度を検知し、その検知信号を前記制御手段に入力する温度検知手段と、前記制御手段の電源電圧を検知し、その検知信号を前記制御手段に入力する電圧検知手段と、前記制御手段の電源の内部抵抗を測定するために電流を流す負荷抵抗を駆動する負荷抵抗駆動手段を有し、前記加熱制御手段の駆動前に前記負荷抵抗駆動手段を駆動させ、前記電圧検知手段から電圧値を読みとり、その電圧値に応じて前記加熱制御手段の駆動信号の電圧を前記加熱制御手段の駆動速度を一定に保つ電圧に切り換える構成としたものである。これにより加熱制御手段の駆動速度を一定に保つことができるという作用を有する。
【００１６】
請求項９に記載の発明は、鍋を加熱する加熱手段と、前記加熱手段の燃焼量を制御する加熱制御手段と、前記加熱制御手段を制御する制御手段と、前記制御手段に点火消火等を入力する操作手段と、鍋の温度を検知し、その検知信号を前記制御手段に入力する温度検知手段と、前記制御手段の電源電圧を検知し、その検知信号を前記制御手段に入力する電圧検知手段と、前記制御手段の電源の内部抵抗を測定するために電流を流す負荷抵抗を駆動する負荷抵抗駆動手段を有し、前記加熱制御手段の駆動前に前記負荷抵抗駆動手段を駆動させ、前記電圧検知手段から電圧値を読みとり、その電圧値が所定値以下の時は前記加熱制御手段の駆動信号を出力しない構成としたものである。これにより電池電圧の内部抵抗増加時に加熱制御手段を駆動した際の電圧降下による制御手段のリセットを防ぐことができる。
【００１７】
以下、本発明の実施例を図１から図１１を用いて説明する。
（実施例１）
図１は調理器の制御手段のブロック図を示し、図１において制御手段１は、電源電圧を検知する電圧検知手段４と、点火消火等を行う操作手段５と、鍋の温度を検知する温度検知手段６からの信号を入力し、負荷抵抗を駆動させる負荷抵抗駆動手段７と、加熱手段２の燃焼量を制御する加熱制御手段３に駆動信号を出力する構成となっている。
【００１８】
図２は第１の加熱制御手段の駆動信号を示す概略図を示し、制御手段１は、加熱手段２の燃焼量を変更する際に、加熱手段２を制御する加熱制御手段３としてのモータに一定のＤＣ電圧の駆動信号を出力し、一定時間経過後にモータの駆動信号をパルス信号にするとともに、電圧検知手段４からの電源電圧値に応じてパルス信号のデューティ比を加熱制御手段３の駆動可能なデューティ比とする構成としている。
【００１９】
（実施例２）
図３は第２の加熱制御手段の駆動信号を示す概略図を示し、制御手段１は、加熱手段２の燃焼量を変更する際に、加熱手段２を制御する加熱制御手段３としてのモータに一定のＤＣ電圧の駆動信号を出力し、一定時間経過後に電圧検知手段４からの電源電圧値に応じてモータの駆動信号の電圧を加熱制御手段３の駆動可能な電圧とする構成としている。
【００２０】
（実施例３）
図４は第３の加熱制御手段の駆動信号を示す概略図を示し、制御手段１は、加熱手段２の燃焼量を変更する際に、加熱手段２を制御する加熱制御手段３としてのモータに一定のＤＣ電圧の駆動信号を出力し、一定時間経過後にモータの駆動信号をパルス信号にするとともに、電圧検知手段４からの電源電圧値に応じてパルス信号のデューティ比を加熱制御手段３の駆動速度を一定に保つデューティ比に切り換える構成としている。
【００２１】
（実施例４）
図５は第４の加熱制御手段の駆動信号を示す概略図を示し、制御手段１は、加熱手段２の燃焼量を変更する際に、加熱手段２を制御する加熱制御手段３としてのモータに一定のＤＣ電圧の駆動信号を出力し、一定時間経過後に電圧検知手段４からの電源電圧値に応じてモータの駆動信号の電圧を加熱制御手段３の駆動速度を一定に保つ電圧に切り換える構成としている。
【００２２】
（実施例５）
図６は第５の加熱制御手段の駆動信号を示す概略図を示し、制御手段１は、加熱手段２の燃焼量を変更する際に、負荷駆動手段７を駆動させ、電圧検出手段４からの電源電圧値を入力し、負荷駆動手段７を停止させたのち、入力した電圧値に応じて加熱制御手段３の駆動信号のデューティ比を加熱制御手段３の駆動可能なデューティ比とする構成としている。
【００２３】
（実施例６）
図７は第６の加熱制御手段の駆動信号を示す概略図を示し、制御手段１は、加熱手段２の燃焼量を変更する際に、負荷駆動手段７を駆動させ、電圧検出手段４からの電源電圧値を入力し、負荷駆動手段７を停止させたのち、入力した電圧値に応じて加熱制御手段３の駆動信号の電圧を加熱制御手段３の駆動可能な電圧とする構成としている。
【００２４】
（実施例７）
図８は第７の加熱制御手段の駆動信号を示す概略図を示し、制御手段１は、加熱手段２の燃焼量を変更する際に、負荷駆動手段７を駆動させ、電圧検出手段４からの電源電圧値を入力し、負荷駆動手段７を停止させたのち、入力した電圧値に応じて加熱制御手段３の駆動信号のデューティ比を加熱制御手段３の駆動速度を一定に保つデューティ比とする構成としている。
【００２５】
（実施例８）
図９は第８の加熱制御手段の駆動信号を示す概略図を示し、制御手段１は、加熱手段２の燃焼量を変更する際に、負荷駆動手段７を駆動させ、電圧検出手段４からの電源電圧値を入力し、負荷駆動手段７を停止させたのち、入力した電圧値に応じて加熱制御手段３の駆動信号の電圧を加熱制御手段３の駆動速度を一定に保つ電圧とする構成としている。
【００２６】
（実施例９）
図１０は電圧検出手段の入力信号を示す概略図を示し、制御手段１は、加熱手段２の燃焼量を変更する際に、負荷駆動手段７を駆動させ、電圧検出手段４からの電源電圧値を入力し、その電圧値がしきい値より高い場合には加熱制御手段３に駆動信号を出力する。電圧値がしきい値以下の場合には加熱制御手段３に駆動信号を出力しない構成としている。
【００２７】
なお、以上の説明では、加熱制御手段としてモータによる場合を説明したが、ソレノイドを用いても同様の効果が得られる。
【００２８】
【発明の効果】
以上のように本発明によれば、電源電圧に応じてモータ等の駆動信号を変化させることにより、駆動途中の電力消費を低減し、電池寿命を延ばすことができるという有利な効果が得られる。
【００２９】
また、電源電圧に応じてモータ等の駆動信号を変化させることにより、駆動速度を一定に保つことができる。
【００３０】
また、モータ等の駆動前に負荷抵抗を駆動し電圧降下を測定し一定値以下の場合にはモータ等を駆動させないことにより、電池電圧の内部抵抗増加時に加熱制御手段を駆動した際の電圧降下による制御手段のリセットを防ぐことができる。
【図面の簡単な説明】
【図１】本発明の実施例１の調理器の制御手段のブロック図
【図２】同調理器の加熱制御手段の駆動信号を示す概念図
【図３】本発明の実施例２の調理器の加熱制御手段の駆動信号を示す概念図
【図４】本発明の実施例３の調理器の加熱制御手段の駆動信号を示す概念図
【図５】本発明の実施例４の調理器の加熱制御手段の駆動信号を示す概念図
【図６】本発明の実施例５の調理器の加熱制御手段の駆動信号を示す概念図
【図７】本発明の実施例６の調理器の加熱制御手段の駆動信号を示す概念図
【図８】本発明の実施例７の調理器の加熱制御手段の駆動信号を示す概念図
【図９】本発明の実施例８の調理器の加熱制御手段の駆動信号を示す概念図
【図１０】本発明の実施例９の調理器の電圧検出手段の入力信号を示す概略図
【図１１】従来の調理器の加熱制御手段の駆動信号を示す概念図
【符号の説明】
１  制御手段
２  加熱手段
３  加熱制御手段
４  電圧検知手段
５  操作手段
６  温度検知手段
７  負荷抵抗駆動手段
【図１】
0003622402.tif 000002
【図２】
0003622402.tif 000003
【図３】
0003622402.tif 000004
【図４】
0003622402.tif 000005
【図５】
0003622402.tif 000006
【図６】
0003622402.tif 000007
【図７】
0003622402.tif 000008
【図８】
0003622402.tif 000009
【図９】
0003622402.tif 000010
【図１０】
0003622402.tif 000011
【図１１】
0003622402.tif 000012